(57)【要約】  インプラント固定具が開示される。インプラント固定具は、細長い軸部と、ヘッド部とを含み、ヘッド部は、骨がその中で成長するための少なくとも一つの凹形領域を含むことを特徴とする。【選択図】図７ａ
2018511454.tif 000002
【特許請求の範囲】
【請求項１】
患者の顎骨の小窩に埋め込み可能なインプラント固定具であって、
細長い軸部と、
少なくとも一つの狭い側面領域を含むヘッド部と、を含み、
前記狭い側面領域が、頭蓋顔面の成長による前記インプラント固定具に隣接する顎骨の劣化を補償するように、骨が成長するための領域を提供することを特徴とするインプラント固定具。
【請求項２】
前記狭い側面領域が、頭蓋顔面の成長による前記インプラント固定具に隣接する顎骨の劣化を補償するために、骨が成長できるように凹形領域を提供することを特徴とする請求項1に記載されたインプラント固定具。
【請求項３】
前記ヘッド部が少なくとも一つの広い側面領域を含むことを特徴とする請求項1に記載されたインプラント固定具。
【請求項４】
前記狭い側面領域が、患者の頬の内面に隣接して位置する患者の口腔の顔側の歯肉組織のカントゥアを収容するように構成されることを特徴とする請求項1に記載されたインプラント固定具。
【請求項５】
前記ヘッド部がもう一つの狭い側面領域を含むことを特徴とする請求項1に記載されたインプラント固定具。
【請求項６】
前記少なくとも一つの狭い側面領域が、患者の頬の内面に隣接して位置する患者の口腔の顔側の歯肉組織のカントゥアを収容するように構成されることを特徴とする請求項５に記載されたインプラント固定具。
【請求項７】
前記もう一つの狭い側面領域が、患者の舌に隣接して位置する患者の口腔の舌側の歯肉組織のカントゥアを収容するように構成されることを特徴とする請求項６に記載されたインプラント固定具。
【請求項８】
患者の顎骨の小窩に埋め込み可能なインプラント固定具であって、
細長い軸部と、
骨が成長するための少なくとも一つの凹形領域を含むヘッド部と、を含むインプラント固定具。
【請求項９】
前記ヘッド部が少なくとも一つの広い側面領域を含むことを特徴とする請求項８に記載のインプラント固定具。
【請求項１０】
前記凹形領域が、患者の頬の内面に隣接して位置する患者の口腔の顔側の歯肉組織のカントゥアを収容するように構成されることを特徴とする請求項８に記載されたインプラント固定具。
【請求項１１】
前記ヘッド部がもう一つの凹形領域を含むことを特徴とする請求項８に記載されたインプラント固定具。
【請求項１２】
前記少なくとも一つの凹形領域が、患者の頬の内面に隣接して位置する患者の口腔の顔側の歯肉組織のカントゥアを収容するように構成されることを特徴とする請求項１１に記載されたインプラント固定具。
【請求項１３】
前記もう一つの凹形領域が、患者の舌に隣接して位置する患者の口腔の舌側の歯肉組織のカントゥアを収容するように構成されることを特徴とする請求項１２に記載されたインプラント固定具。
【請求項１４】
患者の顎骨の小窩に埋め込み可能なインプラント固定具であって、
末端を有する細長い軸部と、
基端を有するヘッド部と、を含み、
前記ヘッド部が、前記細長い軸部に隣接する第１の直径と、前記基端に隣接する第２の直径と、を含み、
前記細長い軸部が前記ヘッド部に隣接する第１の直径と、前記末端に隣接する第２の直径と、を含み、
前記ヘッド部の前記第２の直径が、前記軸部の前記第１の直径より小さいことを特徴とするインプラント固定具。
【請求項１５】
患者の顎骨の小窩に埋め込み可能なインプラント固定具であって、
細長い軸部と、
周囲に沿って凹面を含むヘッド部と、を含み、
前記凹面が、頭蓋顔面の成長による前記インプラント固定具に隣接する顎骨の劣化を補うように、骨が成長するための領域を提供することを特徴とするインプラント固定具。
【発明の詳細な説明】
【技術分野】
【０００１】
本出願は、２０１５年３月１１日提出の米国仮特許出願第６２／１３１，７５４号の優先権を主張し、その全部内容を本文に引用するものである。本出願は、２０１４年１２月２６日提出の米国特許出願第１４／５８３，３９２号に関連し、その全部内容を本文に引用する。本出願は、２０１５年１１月２９日提出の米国特許出願第１４／９５３，３５８号に関連し、その全部内容を本文に引用する。
【０００２】
本発明は、歯科インプラントの分野に関する。
【背景技術】
【０００３】
隣接する及び／又は対向する歯を有する歯科インプラントにより支持される修復が何千名もの臨床医師によって施術されてきた。図１ａ〜図１ｄに、例示的な修復過程が示される。図１ａを参照すると、小窩１０が患者の顎骨１５に形成されて歯科インプラント固定具２０を収容する。歯科インプラント固定具２０が小窩１０に固定されると（図１ｂに示される）、アバットメント（支台）部材２５が歯科インプラント固定具２０に結合される（図１ｃ、図１ｄに示される）。歯のアナログ３０がアバットメント部材２５に結合されると、修復過程は完了する。
【発明の概要】
【発明が解決しようとする課題】
【０００４】
最近の研究により、単一歯及び／又は複数歯のインプラント修復を有するいくらかの人々は、インプラント修復が行われて以降わずかに継続する頭蓋顔面（顎顔面頭蓋）の成長の審美的、機能的、修復的及び／又は歯周の悪影響を呈することが分かった。
【０００５】
頭蓋顔面の成長は、例えば、咬合の変化を起こし、後に空隙のある接触（opening contact）に影響する歯の移動を起こし、及び／又は前歯の審美性への変化を起こすことにより、インプラント修復と残った歯及び顎の構造との関係に影響を及ぼし得る。
【０００６】
咬合の変化の原因は、インプラントを含む歯列弓及び対向する歯列弓における継続的な成長であり得る。両方の状況で、インプラント及び関連する修復の位置は静止しているのに対し、歯は顔面方向及び咬合方向の両方の移動の影響を受けやすい。これらの潜在的な変化は性別に関係しない。大きな咬合荷重を支持する臼歯遊離端のインプラント修復のような場合、これらの移動は時間とともにインプラント修復の効果を無効にし、残った歯列に望ましくないストレスを付加する。
【０００７】
天然歯が、歯科インプラントが存在する同じ歯列弓に位置する場合、観察された予期しなかった長期合併症の多くは、インプラント修復と、典型的にインプラント修復の前の天然歯との間の接触の空隙であった。年齢及び対向する歯列の状況は、天然歯と近心のインプラント修復とのコンタクトロスに著しい影響を与える。
【０００８】
機能の変化と咬合及び接触の空隙の結果に加えて、経時的なわずかな成長が、一度は不変と思われた審美的結果を変化させることが観察されている。隣在歯に対する３つの目に見える領域、すなわち辺縁の長さ、歯肉縁の高さ、及び顔の輪郭のアライメントにおける不一致が明らかになっている。前歯の歯根廷出及びアップライトは同時に全ての三つの不一致を引き起こし得る。このわずかな成長過程に付随するさらなる結果は、インプラント又はアバットメントを覆う唇の軟組織／硬組織の菲薄化であり得る。
【０００９】
前歯のインプラント修復を相対的に唇側にする顔の整列（アライメント）における不一致は、適切に修正又は修復できる場合もありできない場合もあり、それは発生の重大度だけによるものでなく、例えば、インプラントの軸方向アライメント、利用可能な軟組織の深さ、及びリッジにおけるインプラントの唇側／口蓋側の位置等の要因にも関係がある。インプラント修復の歯頸縁と隣接する天然歯の歯頸縁との間において徐々に大きくなるずれは、容易に解決できない審美的な合併症となり得る。
【課題を解決するための手段】
【００１０】
上記に鑑みて、歯科インプラントに対する改善が必要である。
【図面の簡単な説明】
【００１１】
【図１】図１ａ〜図１ｄは本分野で公知の修復過程を示す。
【図２ａ】図２ａは本分野で公知の歯科インプラントを示す。
【図２ｂ】図２ｂは本分野で公知の歯科インプラントを示す。
【図３ａ】図３ａは本開示のある実施形態による歯科インプラントシステムを示す。
【図３ｂ】図３ｂは本開示のある実施形態による歯科インプラント固定具を示す。
【図３ｃ】図３ｃは本開示のある実施形態による歯科インプラント固定具を示す。
【図４】図４は図３ｂに示す歯科インプラント固定具の断面図を示す。
【図５ａ】図５ａは図３ｂに示す歯科インプラント固定具の平面図を示す。
【図５ｂ】図５ｂは本開示のある実施形態によるアバットメント部材の底面図を示す。
【図６】図６は本開示のある実施形態による他の歯科インプラント固定具を示す。
【図７ａ】図７ａは本開示のある実施形態による歯科インプラント固定具を示す。
【図７ｂ】図７ｂは図７ａに示す歯科インプラントの平面図を示す。
【図７ｃ】図７ｃは図７ａに示す歯科インプラント固定具の断面図を示す。
【図８】図８は、本開示のいくつかの実施形態による歯科インプラント固定具を示す。
【図９】図９は、本開示のいくつかの実施形態による歯科インプラントシステムを示す。
【図１０】図１０は、図９に示す歯科インプラント固定具の平面図を示す。
【図１１】図１１は、本開示のいくつかの実施形態によるアバットメント部材の底面図を示す。
【図１２ａ】図１２ａは、本開示のいくつかの実施形態による別の歯科インプラントシステムを示す。
【図１２ｂ】図１２ｂは、本開示のいくつかの実施形態による別の歯科インプラントシステムを示す。
【図１２ｃ】図１２ｃは、本開示のいくつかの実施形態による別の歯科インプラントシステムを示す。
【図１２ｄ】図１２ｄは、本開示のいくつかの実施形態による別の歯科インプラントシステムを示す。
【図１３ａ】図１３ａは、本開示のいくつかの実施形態による別の歯科インプラントシステムを示す。
【図１３ｂ】図１３ｂは、本開示のいくつかの実施形態による別の歯科インプラントシステムを示す。
【発明を実施するための形態】
【００１２】
以下の詳細な説明で、類似する参照数字は類似する部材を特定するために用いられる。また、図面は、例示的な実施形態の主な特徴を概略的に説明することを意図する。図面は各実施例の各特徴を示すことを意図するものではなく、図示された部材の相対寸法を記載するものではなく、縮尺どおりに記載されてもいない。
【００１３】
以下の説明では、本明細書に開示される様々な特定の実施形態を明確に説明するために多数の具体的な詳細が示される。しかしながら、当業者であれば、請求に係る発明は、以下に説明される特定の詳細の全てを用いることなく実施できることを理解するであろう。他の例では、本発明を不明瞭にしないように、周知の特徴は記載されていない。
【００１４】
本明細書での表現及び用語は説明を目的とするものであり、限定的に理解すべきではない。本明細書において「含む」、「備える」又は「有する」及びその変形的な表現は、その後に挙げた項目及びその均等物並びに付加項目も含有することを意味する。他に限定されない限り、本明細書での用語「接続」、「結合」及び「取付」並びにその変形的な表現は広く使用され、直接及び間接的に接続、結合及び取付されることを含む。また、用語「接続」、「結合」及びその変形的な表現は、物理的又は機械的な接続又は結合に限定されない。
【００１５】
一つの態様に従って、患者の顎骨の小窩に埋め込むことができるインプラント固定具が開示される。インプラント固定具は細長い軸部と、少なくとも一つのより狭い側面領域を含むヘッド部とを含み、狭い側面領域は、骨がその中で成長するための領域を提供することによって、頭蓋顔面の成長によるインプラント固定具に隣接する顎骨の劣化を補償する。
【００１６】
他の態様に従って、患者の顎骨の小窩に埋め込み可能なインプラント固定具が開示される。インプラント固定具は、細長い軸部と、ヘッド部とを含み、ヘッド部は、そこで骨が成長するための少なくとも一つの凹形領域を含む。
【００１７】
他の態様に従って、患者の顎骨の小窩に埋め込むためのインプラント固定具が開示される。インプラント固定具は、末端（遠位端）を有する細長い軸部と、基端（近位端）を有するヘッド部とを含み、ヘッド部は、細長い軸部に隣接する第１の直径と基端に隣接する第２の直径とを含み、細長い軸部は、ヘッド部に隣接する第１の直径と末端に隣接する第２の直径とを含み、ヘッド部の第２の直径は細長い軸部の第一の直径より小さい。
【００１８】
別の態様によれば、患者の顎骨の小窩に埋め込み可能なインプラント固定具が、ここに開示される。インプラント固定具は、細長い軸部と、その周囲に沿って凹面を含むヘッド部とを含み、凹面は、中で骨が成長するための領域を提供し、それによって頭蓋顔面の成長によるインプラント固定具に隣接する顎骨の劣化を代償する。
【００１９】
図２ａは、本分野で公知の、顎骨４０に形成された小窩に埋め込まれ、アバットメント部材４５及び歯のアナログ５０に結合される歯科インプラント固定具３５を示す。歯科インプラント固定具３５は、狭い末端３７からアバットメント部材４５へ伸長する縦溝（即ち、バックカット）３６を含む。縦溝３６は、より大きい表面領域を提供し、骨は当該領域で成長して、インプラント固定具３５が顎骨４０で鉛直方向に移動すること及び回転運動することを防止する。
【００２０】
頭蓋顔面の成長によって、時間が経つと、歯科インプラント固定具３５に隣接する顎骨４０及び／又は軟組織５５の少なくとも一部が劣化し、歯科インプラント固定具３５及び／又はアバットメント部材４５が露出され、図２ｂに示すようになる。その場合、本分野で公知の過程によって、歯科インプラント固定具３５が取り除かれる。歯科インプラント固定具３５を取り除く過程は、少なくとも部分的に、歯科インプラント固定具３５が顎骨４０から抜けないようにする、縦溝３６での骨の成長によって複雑になる。
【００２１】
図３ａを参照し、本開示による歯科インプラントシステム６１が示される。ある実施形態で、歯科インプラントシステム６１は、ボルト部材６２と、アバットメント部材６３と、歯科インプラント固定具６０とを含む。
【００２２】
ある実施形態で、ボルト部材６２は、ヘッドセグメント３０１と、軸セグメント３０２とを含む。ある実施形態で、ヘッドセグメント３０１は概して円板形状であり、トップノッチ又はクロスノッチ３０３、あるいは、締付工具、例えば、ネジ回し又はボルト部材６２を回転させるための他の任意の工具、を収容するための他の適当な手段を有する。ある実施形態で、軸セグメント３０２は、ヘッドセグメント３０１に結合する一つの端部を有する。ある実施形態で、軸セグメント３０２は、外側ネジ山３０４を含み、外側ネジ山３０４は、ヘッドセグメント３０１から反対側に位置し、その長さの少なくとも部分に沿って延在する。
【００２３】
図３ｂを参照し、本開示による歯科インプラント固定具６０が示される。
本開示に係るある実施形態では、歯科インプラント固定具６０は、基端７０を備えたヘッド部６５を含む。ある実施形態で、固定具６０は、末端８１を備える細長い軸部７５を含む。ある実施形態で、ヘッド部６５は、軸部７５に一体的に結合され、ワンピース（上下続き）のインプラント固定具６０を形成する。このことは、細菌又は他の感染がインプラント固定具６０のヘッド部と軸部との間で成長することを防止する。ある実施形態で、細長い軸部７５は、先細りしている。
【００２４】
いくつかの実施形態では、インプラント固定具６０は、基端７０から軸部７５内に部分的に下方に伸長する階段状の内部閉孔８０を備える。ある実施形態で、階段状の内部閉孔８０は偏心されている。ある実施形態で、内部閉孔８０は、その長さの少なくとも部分に沿った内側ネジ山８５と、内側ネジ山８５の上に位置する環状棚（シェルフ）９０（図４に示す）とを含む。ある実施形態で、内側ネジ山８５は、ボルト部材６２の外側ネジ山３０４を収容するように構成される。ある実施形態で、階段状の内部閉孔８０は、アバットメント部材６３の突出係合端３０７（以下でより詳細に記述する）を収容するように構成される。
【００２５】
図５ａを参照し、ここに開示されるある実施形態によるインプラント固定具６０の平面図が示される。ある実施形態で、基端７０は、長い軸線と短い軸線とを含む周縁表面１００によって囲まれる円形の平坦な表面９５を有する。ある実施形態で、基端７０は、さらに、標準歯科ツールの小さな先端収容するための二つ以上のアパーチャ１０５、１１０を有し、標準歯科ツールは、例えば、インプラント固定具６０を配向するためのインプラントマウント又はハンドドライバー、及び／又はアバットメント部材６３のための回転防止手段である。ある実施形態で、ヘッド部６５は、少なくとも一つのより狭い顔側表面領域１２０と、少なくとも一つのより広い隣接（歯間）側表面領域１１５とを含む。顔側表面領域１２０は、患者口腔の顔側の歯肉組織のカントゥア（輪郭）を収容し、それは患者の口唇の内表面に隣接して位置し、隣接側表面領域１１５は、患者口腔の隣接側の歯肉組織のカントゥアを収容し、患者の他の歯及び／又はインプラント体に隣接して位置する。ある実施例で、顔側表面領域１２０は、円形の平坦な表面９５の中心に向かって凹んでいる。
【００２６】
ある実施形態で、ヘッド部６５は、より狭い舌側表面領域１２５と、少なくとも一つのより広い隣接側表面領域１３０とを含む。舌側表面領域１２５は、患者口腔の舌側の歯肉組織のカントゥアに適応し、患者の舌又は口蓋に隣接して位置し、隣接側表面領域１３０は、患者口腔の隣接側の歯肉組織のカントゥアに適応し、患者他の歯及び／又はインプラント体に隣接して位置する。ある実施形態で、舌側表面領域１２５は、円形の平坦な表面９５の中心に向かって凹んでいる。
【００２７】
ある実施形態で、顔側表面領域１２０及び／又は舌側表面領域１２５は、骨がその中で成長するための領域を提供して、頭蓋顔面の成長によるインプラント固定具６０に隣接する顎骨の劣化を補う。ある実施形態で、顔側表面領域１２０及び／又は狭い舌側表面領域１２５は、骨がその中で成長するためのアーチ型の領域を提供して、頭蓋顔面の成長によるインプラント固定具６０に隣接する顎骨の劣化を補償する。ある実施形態で、顔側表面領域１２０及び／又は狭い舌側表面領域１２５は、骨が成長するための平坦な領域を提供して、頭蓋顔面の成長によるインプラント固定具６０に隣接する顎骨の劣化を補償する。ある実施形態で、顔側表面領域１２０及び／又は狭い舌側表面領域１２５は、骨がその中で成長するための凹型領域を提供して、頭蓋顔面の成長によるインプラント固定具６０に隣接する顎骨の劣化を補償する。顔側表面領域１２０及び／又は狭い舌側表面領域１２５に隣接する骨体積及び／又は軟組織体積の増加は、インプラント固定具６０の早期の露出を防止する。
【００２８】
ある実施形態で、顔側表面領域１２０及び／又は舌側表面領域１２５は凹型領域を提供して、既存の骨と顔側表面領域１２０及び／又は舌側表面領域１２５の間のギャップにより骨形成を改善する。ある実施例で、顔側表面領域１２０及び／又は舌側表面領域１２５は、より大きい骨がその中で成長できるようにする凹型領域を提供する。ある実施形態で、顔側表面領域１２０及び／又は舌側表面領域１２５は、凹型領域を提供して、処置の間、及び／又は処置の直後、骨とヘッド部６５の間の圧力を防止／最小化する。処置の間及び／又は処置の直後に骨とヘッド部６５の間の圧力を防止及び／又は最小化することは、ヘッド部６５周囲の骨の吸収を防止し、及び／又はヘッド部６５周囲の骨形成の増加を可能にする。ある実施形態で、顔側表面領域１２０及び／又は舌側表面領域１２５は、骨及び／又は軟組織がその中で成長できるようにする凹型領域を提供する。
【００２９】
ある実施形態では、歯科インプラント固定具６０は縦溝３６（図２ａ及び図２ｂに示す）を含まないので、骨がその中で成長することを防止し、患者の顎骨に対してより小さいダメージで歯科インプラント固定具６０を取り除くことができる。ある実施形態で、顔側表面領域１２０及び／又は舌側表面領域１２５は、骨がその中で成長できる領域を提供して、インプラント固定具６０の患者の顎骨での垂直移動及び回転運動を防止する。
【００３０】
ある実施形態で、軸部７５は、その少なくとも一部の長さに沿って延在する外側ネジ山７６を含む。ある実施形態で、外側ネジ山７６は、連続するものである。ある実施形態で、外側ネジ山７６は、Ｖ形ネジ山、角ネジ山、のこ歯ネジ山、逆のこ歯ネジ山（Reverse Buttress Thread）、又はこれらのネジ山の二つ以上の組合せである。ある実施形態で、軸部７５は、末端８１からヘッド部６５に向かって伸長する実質的に長手方向（縦）の溝又はバックカット（図示せず）を含む。長手方向溝（図示せず）は、より大きい表面領域を提供し、骨は当該面領域で成長し、インプラント固定具６０の顎骨での上下移動及び回転移動を防止することができる。
【００３１】
図３ａを参照し、ある実施形態で、アバットメント部材６３は、ボルト部材６２の軸セグメント３０２を収容するための円形開口部を有する末端３０６を含む。図３ａを参照し、ある実施形態で、アバットメント部材６３は、近位部分３０８を含み、近位部分３０８はそれから伸長する突出係合端３０７を備える。
【００３２】
図５ｂを参照し、ここに開示されるある実施形態に従って、アバットメント部材６３の底面図が示される。ある実施形態によると、近位部分３０８は、表面３０９を含む。ある実施形態では、表面３０９は、長い軸線と短い軸線とを含む。ある実施形態で、近位部分３０８は、少なくとも一つのより狭い顔側表面領域４２０と、少なくとも一つのより広い隣接側表面領域４１５とを含む。ある実施形態で、顔側表面領域４２０は、実質的に顔側表面領域１２０と同様である。ある実施形態で、隣接側表面領域４１５は、実質的に隣接側表面領域１１５と同様である。ある実施形態で、顔側表面領域４２０は、アバットメント部材６３の中心に向かって凹んでいる。
【００３３】
ある実施形態で、近位部分３０８は、より狭い舌側表面領域４２５と、少なくとも一つのより広い隣接側表面領域４３０とを含む。ある実施形態で、舌側表面領域４２５は、実質的に舌側表面領域１２５と同様である。ある実施形態で、隣接側表面領域４３０は、実質的に隣接側表面領域１３０と同様である。ある実施形態で、舌側表面領域４２５は、アバットメント部材６３の中心に凹み込む。
【００３４】
ある実施形態で、アバットメント部材６３は、図３ｃに示すように、ヘッド部６５に結合するように構成される。ある実施形態で、アバットメント部材６３は、ヘッド部６５に結合するように構成され、顔側表面領域４２０が顔側表面領域１２０に位置合わせされるようにする。ある実施形態で、アバットメント部材６３は、ヘッド部６５に結合するように構成され、隣接側表面領域４１５が隣接側表面領域１１５に位置合わせされるようにする。ある実施形態で、アバットメント部材６３は、ヘッド部６５に結合するように構成され、舌側表面領域４２５と舌側表面領域１２５とを位置合わせする。ある実施形態で、アバットメント部材６３は、ヘッド部６５に結合するように構成され、隣接側表面領域４３０と隣接側表面領域１３０とを位置合わせする。
【００３５】
ある実施形態で、顔側表面領域４２０及び／又は舌側表面領域４２５は、その中で骨が成長するための領域を提供して、頭蓋顔面の成長によるアバットメント部材６３に隣接する顎骨の劣化を補償する。ある実施形態で、顔側表面領域４２０及び／又は狭い舌側表面領域４２５は、その中で骨が成長するためのアーチ型の領域を提供して、頭蓋顔面の成長によるアバットメント部材６３に隣接する顎骨の損傷を補う。ある実施形態で、顔側表面領域４２０及び／又は狭い舌側表面領域４２５は、骨がその中で成長するための平坦な領域を提供して、頭蓋顔面の成長によるアバットメント部材６３に隣接する顎骨の劣化を補う。ある実施形態で、顔側表面領域４２０及び／又は狭い舌側表面領域４２５は、骨がその中で成長するための凹型領域を提供して、頭蓋顔面の成長によるアバットメント部材６３に隣接する顎骨の損傷を補償する。顔側表面領域４２０及び／又は狭い舌側表面領域４２５に隣接する骨体積及び／又は軟組織体積の増加は、アバットメント部材６３の早期の露出を防止する。
【００３６】
ある実施形態で、顔側表面領域４２０及び／又は舌側表面領域４２５は、凹型領域を提供して、既存の骨と顔側表面領域４２０及び／又は舌側表面領域４２５の間のギャップによる骨形成を改善する。ある実施形態で、顔側表面領域４２０及び／又は舌側表面領域４２５は、より大きい骨がその中で成長するための凹型領域を提供する。ある実施形態で、顔側表面領域４２０及び／又は舌側表面領域４２５は、凹型領域を提供して、処置の間及び／又は処置の直後、骨とアバットメント部材６３の間の圧力を防止／最小化する。処置の間及び／又は処置の直後、骨とアバットメント部材６３の間の圧力を防止／最小化することは、アバットメント部材６３周囲の骨の再吸収を防止し、及び／又はアバットメント部材６３周囲の骨形成の増加を可能にする。ある実施形態で、顔側表面領域４２０及び／又は舌側表面領域４２５は、骨及び／又は軟組織がその中で成長できる凹型領域を提供する。
【００３７】
図６を参照して、本開示に従って歯科インプラント固定具２００が示される。ここに開示されるある実施形態で、歯科インプラント固定具２００は、基端２７０を有するヘッド部２６５を含む。ある実施形態で、固定具２００は、末端２８０を有する細長い軸部２７５を含む。ある実施形態で、ヘッド部２６５は、軸部２７５と統合的に結合して、一体のインプラント固定具２００を形成する。このことは、細菌又は他の感染がインプラント固定具２００のヘッド部と軸部との間で成長することを防止する。ある実施形態で、細長い軸部２７５は、テーパー状である。
【００３８】
図６を参照して、ある実施形態で、ヘッド部２６５は、実質的に円形であり、軸部２７５に隣接する第１のヘッド部直径３００と、基端２７０に隣接する第２のヘッド部直径３０５とを含む。ある実施形態で、軸部２７５は、実質的に円形であり、ヘッド部２６５に隣接する第１の軸直径３１０と、末端２８０に隣接する第２の軸直径３２０を含む。いくつかの実施形態によれば、ヘッド部２６５は実質的に楕円形である。いくつかの実施形態によれば、ヘッド部２６５は実質的に三角形である。
【００３９】
いくつかの実施形態によれば、ヘッド部２６５は、周囲に沿って凹面／アーチ（弓形）１７００を含む。いくつかの実施形態によれば、凹面１７００は、歯科インプラント固定具２００の周り全体を取り囲んでいる。
【００４０】
いくつかの実施形態によれば、凹面１７００は、軸部２７５と基端２７０との間に配置される。いくつかの実施形態によれば、凹面１７００の最も狭い部分は、第１のヘッド部直径３００によって表される。ある実施形態では、凹面１７００の最も広い部分は、第２のヘッド部直径３０５によって表される。ある実施形態では、凹面１７００の最も広い部分は、第１の軸直径３１０によって表される。
【００４１】
ある実施形態で、第１のヘッド部直径３００は、第１の軸直径３１０より小さい。ある実施形態で、第２のヘッド部直径３０５は、第１の軸直径３１０より小さい。ある実施形態で、第１ヘッド部直径３００と第２ヘッド部直径３０５は、第１軸直径３１０より小さい。ある実施形態で、第１ヘッド部直径３００と第２ヘッド部直径３０５は、実質的に第１軸直径３１０に等しい。ある実施形態で、第２ヘッド部の直径３０５は、実質的に第１軸直径３１０に等しい。ある実施形態で、第１軸直径３１０は、実質的に第２軸直径３２０に等しい。ある実施形態で、第２軸直径３２０は、第１軸直径３１０より小さい。
【００４２】
ある実施形態で、ヘッド部２６５は、骨がその中で成長するための領域を提供して、頭蓋顔面の成長によるインプラント固定具２００に隣接する顎骨の退化を補償する。ある実施形態で、ヘッド部２６５は、骨がその中で成長するためのアーチ１７００形状の領域を提供して、頭蓋顔面の成長によるインプラント固定具２００に隣接する顎骨の損傷を補う。ある実施形態で、ヘッド部２６５は、骨がその中で成長するための凹面１７００形状の領域を提供して、頭蓋顔面の成長によるインプラント固定具２００に隣接する顎骨の劣化を補償する。ヘッド部２６５に隣接する骨体積及び／又は軟組織体積の増加は、歯科インプラント固定具２００が早期に露出してしまうのを防止する。
【００４３】
ある実施形態で、ヘッド部２６５は、凹面１７００形状の領域を提供して、既存の骨と凹型領域の間のギャップにより骨形成を改善する。ある実施形態で、ヘッド部２６５は、凹面１７００形状の領域を提供して、骨がその中でより大きく成長するようにする。ある実施形態で、ヘッド部２６５は、凹面１７００形状の領域を提供して、処置の間及び／又は処置の直後、骨とヘッド部２６５の間の圧力を防止／最小化する。処置の間及び／又は処置の直後に骨とヘッド部２６５の間の圧力を防止／最小化することは、ヘッド部２６５周囲の骨の吸収を防止し、及び／又はヘッド部２６５周囲の骨形成を増加させる。ある実施形態で、ヘッド部２６５は、凹面１７００形状領域を提供して、骨及び／又は軟組織がその中で成長できるようにする。
【００４４】
ある実施形態で、軸部２７５は、その長さの少なくとも一部に沿って延在する外側ネジ山２７６を含む。ある実施形態で、外側ネジ山２７６は、連続的である。ある実施形態で、外側ネジ山２７６は、Ｖ形ネジ山、角ネジ山、のこ歯ネジ山、逆のこ歯ネジ山、又はこれらのネジ山の二つ以上の組合せである。ある実施形態で、軸部２７５は、末端２８０からヘッド部２６５へ伸長する実質的に長手方向の溝（図示せず）を含む。長手方向溝（図示せず）は、より大きい表面領域を提供し、そこで骨成長が形成され、インプラント固定具２００の顎骨内での垂直移動及び回転移動を防止する。
【００４５】
図７ａ〜図７ｃを参照し、本開示による歯科インプラント固定具８００が示される。開示されるある実施形態で、歯科インプラント固定具８００は、基端８７０を有するヘッド部８６５を含む。ある実施形態で、固定具８００は、末端８８１を有する細長い軸部８７５を含む。ある実施形態で、ヘッド部８６５は、軸部８７５に一体的に結合し、ワンピースインプラント固定具８００を形成する。これは、細菌又は他の感染がインプラント固定具８００のヘッド部と軸部との間で成長することを防止する。ある実施形態で、細長い軸部８７５は、先細っている。
【００４６】
ある実施形態で、インプラント固定具８００は、図７ｃに示されるように、基端８７０から軸部８７５へ部分的に下方へ伸長する階段状の内部閉孔８８０を含む。ある実施形態で、階段状内部閉孔８８０は偏心される。ある実施形態で、内部閉孔８８０は、その長さの少なくとも一部に沿った内側ネジ山８８５と、内側ネジ山８８５の上に位置する環状シェルフ８９０（図７ｃに示す）とを含む。ある実施形態で、内側ネジ山８８５は、ボルト部材６２の外側ネジ山３０４を収容するように構成される。ある実施形態で、階段状内部閉孔８８０は、アバットメント部材６３の突出係止端３０７（上でより詳細に記載されている）を収容するように構成される。
【００４７】
図７ｂを参照して、開示されるある実施例に従って、インプラント固定具８００の平面図を示す。ある実施形態で、基端８７０は、長い軸線と短い軸線を含む周縁表面９００によって囲まれる円形の平坦な表面８９５を有する。ある実施形態で、基端８７０は、さらに、例えば、インプラント固定具８００を配向するためのインプラントマウント又はハンドドライバー等の標準歯科ツールの小さな先端を収容するための二つ以上のアパーチャ８０５、８１０、８１１を含む。ある実施形態で、ヘッド部８６５は、少なくとも一つのより狭い顔側表面領域８２０と、少なくとも一つのより広い表面領域８３０とを含む。顔側表面領域８２０は、患者口腔の顔側の歯肉組織のカントゥアを収容し、患者の口唇の内表面に隣接して位置し、表面領域８３０は、患者口腔の隣接側の歯肉組織のカントゥアを収容し、患者の他の歯及び／又はインプラント体に隣接して位置する。ある実施形態で、表面領域８３０は、患者口腔の舌側の歯肉組織のカントゥアを収容し、患者の舌又は口蓋に隣接して位置する。ある実施形態で、表面領域８３０は、患者口腔の舌側の歯肉組織のカントゥアを収容し、患者の舌又は口蓋に隣接して位置し、及び、患者口腔の隣接側の歯肉組織のカントゥアを収容し、患者の他の歯及び／又は（複数の）インプラント体に隣接して位置する。ある実施形態で、顔側表面領域８２０は、インプラント固定具８００の中心に向かって凹んでいる。
【００４８】
ある実施形態で、顔側表面領域８２０は、骨がその中で成長するための領域を提供して、頭蓋顔面の成長によるインプラント固定具８００に隣接する顎骨の劣化を補償する。ある実施形態で、顔側表面領域８２０は、骨がその中で成長するためのアーチ型の領域を提供して、頭蓋顔面の成長によるインプラント固定具８００に隣接する顎骨の退化を補償する。ある実施形態で、顔側表面領域８２０は、骨が成長するための平坦な領域を提供して、頭蓋顔面の成長によるインプラント固定具８００に隣接する顎骨の劣化を補う。ある実施形態で、顔側表面領域８２０は、骨がその中で成長するための凹型領域を提供して、頭蓋顔面の成長によるインプラント固定具８００に隣接する顎骨の劣化を補償する。顔側表面領域８２０に隣接する骨体積及び／又は軟組織体積の増加は、インプラント固定具８００が早期に露出することを防止する。
【００４９】
ある実施例形態で、顔側表面領域８２０は、凹型領域を提供して、既存の骨と顔側表面領域８２０の間のギャップによる骨形成を改善する。ある実施形態で、顔側表面領域８２０は、その中で骨がより大きく成長するように凹型領域を提供する。ある実施形態で、顔側表面領域８２０は、凹型領域を提供し、処置の間及び／又は処置の直後に骨とインプラント固定具８００との間の圧力を防止／最小化する。処置の間及び／又は処置の直後に骨とインプラント固定具８００との間の圧力を防止／最小化することは、インプラント固定具８００の周囲の骨の吸収を防止し、及び／又はインプラント体固定部材８００の周囲の骨形成を増加させる。ある実施形態で、顔側表面領域８２０は、凹型領域を提供して、骨及び／又は軟組織がその中で成長できるようにする。
【００５０】
ある実施形態で、歯科インプラント固定具８００は縦溝３６（図２ａ〜ｂに示される）を含まないので、骨がその中で成長することを防止し、患者の顎骨への小さな損傷で歯科インプラント固定具８００を取り除くことができる。ある実施形態で、顔側表面領域８２０は、骨がその中で成長できる領域を提供して、インプラント固定具８００の患者の顎骨での上下移動及び回転移動を防止する。
【００５１】
ある実施形態で、軸部８７５は、その長さの少なくとも一部に沿って伸長する外側ネジ山８７６（図７ａに示す）を含む。ある実施形態で、外側ネジ山８７６は連なっている。ある実施形態で、外側ネジ山８７６は、Ｖ形ネジ山、角ネジ山、のこ歯ネジ山、逆のこ歯ネジ山、又はこれらのネジ山の二つ以上の組合せである。ある実施形態で、軸部８７５は、末端８８１からヘッド部８６５へ伸長する実質的に長手方向の溝又はバックカット（図示せず）を含む。長手方向の溝（図示せず）は、より大きい表面領域を提供し、その中で骨成長が形成され、インプラント固定具８００の顎骨での鉛直運動及び回転運動を防止する。
【００５２】
図８を参照し、本開示による歯科インプラント固定具９００が示される。ここに開示されているいくつかの実施形態では、歯科インプラント固定具９００は、基端９１０を備えたヘッド部９０５を含む。いくつかの実施形態では、固定具９００は、末端９２０を有する細長い軸部９１５を含む。いくつかの実施形態では、ヘッド部９０５は、軸部９１５と一体的に連結されて、上下続きのインプラント固定具９００を形成する。これは、インプラント固定具９００のヘッド部と軸部との間の細菌又は他の感染の成長を防止する。いくつかの実施形態では、細長い軸部９１５は先細りになっている。
【００５３】
いくつかの実施形態では、インプラント固定具９００は、基端９１０から軸部９１５内に部分的に下方に延びる階段状の内部閉孔９２５を備える。いくつかの実施形態では、階段状内部閉孔９２５は偏心している。いくつかの実施形態では、内部閉孔９２５は、その長さの少なくとも一部に沿って内側ネジ山９３０を含む。いくつかの実施形態では、内側ネジ山９３０は、ボルト部材６２の外側ネジ山３０４を収容するように構成される。いくつかの実施形態では、階段状内部閉孔９２５は、アバットメント部材６３の突出係合端３０７（上記でより詳細に説明されている）を収容するように構成される。内部閉孔９２５は円形であるように示されているが、内部閉孔９２５は、図９に関して以下にさらに説明するように、任意の形状であってよいことを理解されたい。
【００５４】
いくつかの実施形態では、基端９１０は、標準的な歯科ツールの小さな先端、例えば、インプラント固定具９００を方向付けるためのインプラントマウント又はハンドドライバーを収容するための２つ以上のアパーチャ９３５、９４０を含む。いくつかの実施形態では、ヘッド部９０５は、少なくとも１つのより狭い顔側表面領域９４５及び少なくとも１つのより広い隣接（歯間）側表面領域９５０を含む。顔側表面領域９４５は、患者の口腔の顔面側にある歯肉組織のカントゥアを収容し、それは患者の唇の内面に隣接して位置し、隣接側表面領域９５０は、患者の他の歯及び／又はインプラント体に隣接して位置する患者の口腔の歯間側の歯肉組織のカントゥアを収容する。いくつかの実施形態では、顔側表面領域９４５は、孔９２５の中心に向かって凹んでいる。
【００５５】
いくつかの実施形態では、ヘッド部９０５は、より狭い舌側表面領域９５５及び少なくとも１つのより広い隣接側表面領域９６０を含む。舌側表面領域９５５は、患者の舌又は口蓋に隣接して位置する患者の口腔の舌側における歯肉組織のカントゥアを収容し、隣接側表面領域９６０は、患者の他の歯及び／又はインプラントに隣接して位置する患者の口腔の隣接側の歯肉組織のカントゥアを収容する。いくつかの実施形態では、舌側表面領域９５５は、孔９２５の中心に向かって凹んでいる。
【００５６】
いくつかの実施形態では、顔側表面領域９４５及び／又は舌側表面領域９５５は、骨成長のための領域を提供し、頭蓋顔面の成長によるインプラント固定具９００に隣接する顎骨の劣化を補償する。いくつかの実施形態では、顔側表面領域９４５及び／又はより狭い舌側表面領域９５５は、骨成長のためのアーチ形領域を提供し、頭蓋顔面成長によるインプラント固定具９００に隣接する顎骨の劣化を補償する。いくつかの実施形態では、顔側表面領域９４５及び／又はより狭い舌側表面領域９５５は、骨成長のための平坦な領域を提供し、頭蓋顔面の成長によるインプラント固定具９００に隣接する顎骨の劣化を補償する。いくつかの実施形態では、顔側表面領域９４５及び／又はより狭い舌側表面領域９５５は、骨成長のための凹型の領域を提供し、頭蓋顔面の成長によるインプラント固定具９００に隣接する顎骨の劣化を補償する。顔側表面領域９４５及び／又は狭い舌側表面領域９５５に隣接する骨体積及び／又は軟組織体積の増加は、インプラント固定具９００の早期の露出を防止する。
【００５７】
いくつかの実施形態では、顔側表面領域９４５及び／又は舌側表面領域９５５は、既存の骨と顔側表面領域９４５及び／又は舌側表面領域９５５との間の隙間による骨形成を改善するための凹型領域を提供する。いくつかの実施形態では、顔側表面領域９４５及び／又は舌側表面領域９５５は、その中でより大きな骨の成長を可能にする凹型領域を提供する。いくつかの実施形態では、顔側表面領域９４５及び／又は舌側表面領域９５５は、処置中及び／又はその直後に骨とヘッド部９０５との間の圧力を防止／最小化するための凹形状の領域を提供する。処置中及び／又はその直後に骨とヘッド部９０５との間の圧力を防止及び／又は最小化することは、ヘッド部９０５の周りの骨の吸収を防止し、及び／又はヘッド部９０５の周りの骨形成の増加を可能にする。顔側表面領域９４５及び／又は舌側表面領域９５５は、骨及び／又は軟組織の成長を可能にする凹形の領域を提供する。
【００５８】
いくつかの実施形態では、歯科インプラント固定具９００は、インプラント固定具９００が患者の顎骨内で垂直移動及び回転移動するのを防止するために、その中で骨が成長するようにする縦溝９７０を備える。いくつかの実施形態では、顔側表面領域９４５及び／又は舌側表面領域９５５は、骨成長が成長してインプラント固定具９００が患者の顎骨内で垂直移動及び回転移動するのを防ぐための領域を提供する。
【００５９】
いくつかの実施形態では、軸部９１５は、その長さの少なくとも一部に沿って延びる外側ネジ山９７５を備える。いくつかの実施形態では、外側ネジ山９７５は連続的である。いくつかの実施形態では、外側ネジ山９７５は、Ｖ形ネジ山、角ネジ山、のこ歯ネジ山、逆のこ歯ネジ山、又はこれらのネジ山の２つ以上の組み合わせである。いくつかの実施形態では、軸部９１５は、末端９２０からヘッド部９０５に向かって延びる実質的に長手方向の溝（縦溝）又はバックカット（図示せず）を含む。長手方向溝（図示せず）は、骨成長が形成されるより広い表面領域を提供し、インプラント固定具９００が顎骨内で垂直移動及び回転移動することを防ぐ。
【００６０】
図９を参照して、本開示による歯科インプラントシステム１０００が示される。いくつかの実施形態では、歯科インプラントシステム１０００は、ボルト部材１００２、アバットメント部材１００３、及び歯科インプラント固定具１００４を含む。
【００６１】
いくつかの実施形態では、ボルト部材１００２は、ヘッドセグメント１００５と軸セグメント１００６とを含む。いくつかの実施形態では、ヘッドセグメント１００５は概して円板形状であり、トップノッチ１００７、又は、例えば、ネジ回し又はボルト部材１００２を回転させるための任意の他の工具等の締付工具を収容するための任意の他の適切な手段を有する。いくつかの実施形態では、軸セグメント１００６は、ヘッドセグメント１００５に結合された一端を有する。いくつかの実施形態では、軸セグメント１００６は、外側ネジ山１００８を備え、それは、ヘッドセグメント１００５から反対側に位置し、その長さの少なくとも一部分に沿って延びる。
【００６２】
図９を参照して、ここに開示されるいくつかの実施形態では、歯科インプラント固定具１００４は、基端１０１５を有するヘッド部１０１０を含む。いくつかの実施形態において、固定具１００４は、末端１０２５を有する細長い軸部１０２０を含む。ある実施形態では、ヘッド部１０１０は、軸部１０２０と一体的に結合されて、ワンピースインプラント固定具１００４を形成する。これは、インプラント固定具１００４のヘッド部と軸部との間で細菌又は他の感染が広がることを防止する。いくつかの実施形態では、細長い軸部１０２０は先細り形状である。
【００６３】
いくつかの実施形態では、インプラント固定具１００４は、基端１０１５から軸部１０２０内に部分的に下方に延びる階段状の内部閉孔１０３０を備える。いくつかの実施形態では、階段状内部閉孔１０３０は偏心している。いくつかの実施形態では、内部閉孔１０３０は、その長さの少なくとも一部に沿った内側ネジ山１０３５と（図９に示されるような）内側ネジ山１０３５の上に位置する環状シェルフ１０４０とを含む。いくつかの実施形態では、内側ネジ山１０３５は、ボルト部材１００２の外側ネジ山１００８を収容するように構成される。いくつかの実施形態では、段付きの内部閉孔１０３０は、アバットメント部材１００３の突出係合端部１０４５（以下でより詳細に説明する）を収容するように構成される。
【００６４】
図１０を参照して、ここに開示されるある実施形態によるインプラント固定具１００４の平面図が示される。ある実施形態では、基端１０１５は、長軸線及び短軸線を含む周縁表面１０５０を有する。ある実施形態では、階段状の内部閉孔１０３０は、インプラント固定具１００４を方向付けるための歯科工具を収容するように構成される。ある実施形態では、ヘッド部１０１０は、少なくとも１つのより狭い顔側表面領域１０５５と、少なくとも１つのより広い隣接側表面領域１０６０とを含む。顔側表面領域１０５５は、患者の唇の内側表面に隣接して位置する患者の口腔の顔側の歯肉組織のカントゥアを収容し、一方隣接側表面領域１０６０は、患者の他の歯及び／又はインプラントに隣接して位置する患者の口腔の歯間側の歯肉組織のカントゥアを収容する。いくつかの実施形態では、顔側表面領域１０５５は、内部閉孔１０３０の中心に向かって凹んでいる。
【００６５】
いくつかの実施形態では、ヘッド部１０１０は、より狭い舌側表面領域１０６５及び少なくとも１つのより広い隣接側表面領域１０７０を含む。舌側表面領域１０６５は、患者の舌又は口蓋に隣接して位置する、患者の口腔の舌側の歯肉組織のカントゥアを収容し、隣接側面表面領域１０７０は、患者の他の歯及び／又はインプラントに隣接して位置する、患者の口腔の隣接歯間側にある歯肉組織のカントゥアを収容する。ある実施形態では、舌側表面領域１０６５は、内部閉孔１０３０の中心に向かって凹んでいる。
【００６６】
いくつかの実施形態では、顔側表面領域１０５５及び／又は舌側表面領域１０６５は、頭蓋顔面の成長によるインプラント固定具１００４に隣接する顎骨の劣化を補償するために骨成長のための領域を提供する。いくつかの実施形態では、顔側表面領域１０５５及び／又はより狭い舌側表面領域１０６５は、頭蓋顔面の成長によるインプラント固定具１００４に隣接する顎骨の劣化を補償するために、骨成長のためのアーチ形領域を提供する。いくつかの実施形態では、顔側表面領域１０５５及び／又はより狭い舌側表面領域１０６５は、頭蓋顔面の成長によるインプラント固定具１００４に隣接する顎骨劣化を補償するために骨成長のための平坦な領域を提供する。いくつかの実施形態では、顔側表面領域１０５５及び／又は狭い舌側表面領域１０６５は、頭蓋顔面の成長によるインプラント固定具１００４に隣接する顎骨の劣化を補償するために、骨成長のための凹形の領域を提供する。顔側表面領域１０５５及び／又は狭い舌側表面領域１０６５に隣接する骨体積及び／又は軟組織体積の増加は、インプラント固定具１００４の早期の露出を防止する。
【００６７】
いくつかの実施形態では、顔側表面領域１０５５及び／又は舌側表面領域１０６５は、既存の骨と顔側表面領域１０５５及び／又は舌側表面領域１０６５との間の隙間により骨形成を改善するための凹形状領域を提供する。いくつかの実施形態では、顔側表面領域１０５５及び／又は舌側表面領域１０６５は、より大きな骨の成長を可能にする凹形の領域を提供する。いくつかの実施形態では、顔側表面領域１０５５及び／又は舌側表面領域１０６５は、処置中及び／又は処置直後に骨とヘッド部１０１０との間の圧力を防止／最小化するための凹形の領域を提供する。処置中及び／又は処置直後に骨とヘッド部１０１０との間の圧力を防止及び／又は最小限に抑えることにより、ヘッド部１０１０の周りの骨の吸収を防止することができ、及び／又はヘッド部１０１０の周りの骨形成の増加を可能にする。顔側表面領域１０５５及び／又は舌側表面領域１０６５は、骨及び／又は軟組織の成長を可能にするために凹形の領域を提供する。
【００６８】
いくつかの実施形態では、歯科インプラント固定具１００４は、患者の顎骨に対する損傷を少なくして歯科インプラント固定具１００４を取り外すことができるように、その中での骨の成長を防止するために縦溝３６（図２ａ〜ｂに示す）を備えていない。いくつかの実施形態では、歯科インプラント固定具１００４は、骨成長を可能にする縦溝１０７５を含む。いくつかの実施形態では、顔側表面領域１０５５及び／又は舌側表面領域１０６５は、インプラント固定具１００４が患者の顎骨内で垂直運動及び回転運動するのを防ぐために、骨成長が進行する領域を提供する。
【００６９】
いくつかの実施形態では、軸部１０２０は、その長さの少なくとも一部に沿って延びる外側ネジ山１０８０を含む。いくつかの実施形態では、外側ネジ山１０８０は連なっている。いくつかの実施形態では、外側ネジ山１０８０は、Ｖ形ネジ山、角形ネジ山、片ネジ山、逆片ネジ山、又はこれらの２つ以上のネジ山の組み合わせである。いくつかの実施形態では、軸部１０２０は、末端１０２５からヘッド部１０１０に向かって延びる実質的に長手方向の溝又はバックカット（図示せず）を含む。長手方向溝（図示せず）は、骨成長が形成されるより広い表面領域を提供し、インプラント固定具１００４が顎骨内で垂直運動及び回転運動することを防ぐ。
【００７０】
図９を参照して、いくつかの実施形態では、アバットメント部材１００３は、例えば円形の開口部を有する末端１０９０を含み、ボルト部材１００２の軸セグメント１００６を収容する。図９を参照して、ある実施形態では、アバットメント部材１００２は近位部分１０９１と、そこから延びる突出係合端１０４５を含む。
【００７１】
図１１を参照して、ここに開示されるある実施形態に従って、アバットメント部材１００３の底面図が示される。ある実施形態によれば、突出係合端１０４５は、表面１１０５を備える。いくつかの実施形態では、表面１１０５は、長軸線および短軸線を含む。いくつかの実施形態では、突出係合端１０４５は、少なくとも１つのより狭い顔側表面領域１１１０と、少なくとも１つのより幅の広い隣接側表面領域１１１５とを含む。いくつかの実施形態では、顔側表面領域１１１０は、顔側表面領域１０５５と実質的に同様である。いくつかの実施形態では、隣接側表面領域１１１５は、隣接側表面領域１０６０と実質的に同様である。いくつかの実施形態では、顔側表面領域１１１０は、アバットメント部材１００３の中心に向かって凹んでいる。
【００７２】
いくつかの実施形態において、突出係合端１０４５は、より狭い舌側表面領域１１２０及び少なくとも１つのより幅の広い隣接側表面領域１１２５を含む。いくつかの実施形態において、舌側表面領域１１２０は、舌側表面領域１０６５と実質的に同様である。ある実施形態では、隣接側表面領域１１２５は、隣接側表面領域１０７０と実質的に同様である。いくつかの実施形態では、舌側表面領域１１２０は、アバットメント部材１００３の中心に向かって凹んでいる。
【００７３】
いくつかの実施形態では、アバットメント部材１００３は、図９に矢印１０９４で示すように、ヘッド部１０１０と結合するように構成される。いくつかの実施形態では、アバットメント部材１００３は、ヘッド部１０１０と結合するように構成され、顔側表面領域１１１０を顔側表面領域１０５５に整列させる。いくつかの実施形態では、アバットメント部材１００３は、舌側表面領域１１２０を舌側表面領域１０６５と整列させるようにヘッド部１０１０と結合するように構成される。
【００７４】
いくつかの実施形態では、顔側表面領域１１１０及び／又は舌側表面領域１１２０は、頭蓋顔面の成長によるアバットメント部材１００３に隣接する顎骨の劣化を補償するために、骨及び軟組織の形成のための凹形の領域を提供する。いくつかの実施形態では、顔側表面領域１１１０及び／又は狭い舌側表面領域１１２０は、頭蓋顔面の成長によるアバットメント部材１００３に隣接する顎骨の劣化を補償するために、骨成長および軟組織形成のためのアーチ形領域を提供する。いくつかの実施形態では、顔側表面領域１１１０及び／又は狭い舌側表面領域１１２０は、頭蓋顔面の成長によるアバットメント部材１００３に隣接する顎骨の劣化を補償するために、骨成長および軟組織形成のための平坦な領域を提供する。いくつかの実施形態では、顔側表面領域１１１０及び／又はより狭い舌側表面領域１１２０は、頭蓋顔面成長によるアバットメント部材１００３に隣接する顎骨の劣化を補償するために、骨及び軟組織の形成のための凹形の領域を提供する。顔側表面領域１１１０及び／又は狭い舌側表面領域１１２０に隣接する骨体積及び／又は軟組織体積の増加は、アバットメント部材１００３の早期の露出を防止する。
【００７５】
いくつかの実施形態では、顔側表面領域１１１０及び／又は舌側表面領域１１２０は、既存の骨と顔側表面領域１１１０及び／又は舌側表面領域１１２０との間の隙間による骨形成を改善するための凹形領域を提供する。いくつかの実施形態では、顔側表面領域１１１０及び／又は舌側表面領域１１２０は、より大きな骨の成長を可能にする凹形領域を提供する。いくつかの実施形態では、顔側表面領域１１１０及び／又は舌側表面領域１１２０は、処置中及び／又は処置直後に、骨とアバットメント部材１００３との間の圧力を防止／最小化するための凹形状の領域を提供する。処置中及び／又は処置直後に骨とアバットメント部材１００３との間の圧力を防止及び／又は最小限に抑えることにより、アバットメント部材１００３の周りの骨の吸収が防止され、及び／又はアバットメント部材１００３の周りの骨形成を増加させることができる。ある実施形態では、顔側表面領域１１１０及び／又は舌側表面領域１１２０は、骨及び／又は軟組織の成長を可能にする凹状の領域を提供する。
【００７６】
図１２ａ〜図１２ｂを参照して、本開示による歯科インプラントシステム１２００が示される。いくつかの実施形態では、歯科インプラントシステム１２００は、ボルト部材１２６２、ヒーリングキャップ１２６３、及び歯科インプラント固定具１２６０を備える。いくつかの実施形態によれば、歯科インプラントシステム１２００は、アバットメント部材（図示せず）をさらに備える。
【００７７】
いくつかの実施形態では、ボルト部材１２６２は、ヘッドセグメント１２３１と軸セグメント１２３２とを含む。いくつかの実施形態では、ヘッドセグメント１２３１は概して円板形であり、トップノッチ１２３３、又は、例えば、ネジ回しあるいはボルト部材１２６２を回転させるための任意の他の工具等の締付工具を収容するための他の任意の適切な手段を備える。いくつかの実施形態では、軸セグメント１２３２は、ヘッドセグメント１２３１に結合された一端を有する。いくつかの実施形態では、軸セグメント１２３２は、外側ネジ山１２３４を備え、外側ネジ山１２３４は、ヘッドセグメント１２３１から反対側に位置し、その長さの少なくとも一部に沿って伸長する。
【００７８】
図１２ａ〜図１２ｂを参照し、本開示による歯科インプラント固定具１２６０が示される。ここに開示されるいくつかの実施形態では、歯科インプラント固定具１２６０は、基端１２７０を備えたヘッド部１２６５を含む。いくつかの実施形態では、固定具１２６０は、末端１２８１を有する細長い軸部１２７５を備える。いくつかの実施形態では、ヘッド部１２６５は軸部１２７５と一体的に連結されて、ワンピースのインプラント固定具１２６０を形成する。これは、インプラント固定具１２６０のヘッド部と軸部との間の細菌又は他の感染の成長を防止する。いくつかの実施形態では、細長い軸部１２７５は先細りになっている。いくつかの実施形態によれば、ヘッド部１２６５は楕円形状である。いくつかの実施形態によれば、ヘッド部１２６５は三角形状である。いくつかの実施形態によれば、ヘッド部１２６５は円形状である。
【００７９】
いくつかの実施形態では、インプラント固定具１２６０は、基端１２７０から軸部１２７５に部分的に下方に延びる階段状の内部閉孔１２８０を備える。いくつかの実施形態では、階段状の内部閉孔１２８０は偏心している。いくつかの実施形態では、内部閉孔１２８０は、その長さの少なくとも一部に沿った内側ネジ山（図示せず）と、内側ネジ山（図示せず）の上に位置する環状棚（図示せず）とを含む。いくつかの実施形態では、内側ネジ山（図示せず）は、ボルト部材１２６２の外側ネジ山１２３４を収容するように構成される。
【００８０】
図１２ａ〜図１２ｃを参照し、いくつかの実施形態において、基端１２７０は、長軸線及び短軸線を含むベベル周縁表面１２６１を有する。いくつかの実施形態によれば、基端１２７０は、長軸線及び短軸線を含む平坦な表面１２６１を有する。いくつかの実施形態では、ヘッド部１２６５は、少なくとも１つのより狭い顔側表面領域１２２０及び少なくとも１つのより広い隣接側表面領域１２１５を含む。顔側表面領域１２２０は、患者の唇の内面に隣接して位置する、患者の口腔の顔側の歯肉組織のカントゥアを収容し、隣接側表面領域１２１５は、患者の他の歯及び／又はインプラントに隣接して位置する、患者の口腔の隣接側にある歯肉組織のカントゥアを収容する。いくつかの実施形態では、顔側表面領域１２２０は、表面１２６１の中心に向かって凹んでいる。
【００８１】
いくつかの実施形態では、ヘッド部１２６５は、より狭い舌側表面領域１２２５及び少なくとも１つのより広い隣接側表面領域１２３０を含む。舌側表面領域１２２５は、患者の舌又は口蓋に隣接して位置する、患者の口腔の舌側の歯肉組織のカントゥアを収容し、隣接側表面領域１２３０は、患者の他の歯及び／又はインプラントに隣接して位置する、患者の口腔の歯間側の歯肉組織のカントゥアを収容する。いくつかの実施形態では、舌側表面領域１２２５は、表面１２６１の中心に向かって凹んでいる。
【００８２】
いくつかの実施形態では、顔側表面領域１２２０及び／又は舌側表面領域１２２５は、頭蓋顔面の成長によるインプラント固定具１２６０に隣接する顎骨の劣化を補償するために骨成長のための領域を提供する。いくつかの実施形態では、顔側表面領域１２２０及び／又は狭い舌側表面領域１２２５は、頭蓋顔面の成長によるインプラント固定具１２６０に隣接する顎骨劣化を補償するために、骨成長のためのアーチ形領域を提供する。いくつかの実施形態では、顔側表面領域１２２０及び／又は狭い舌側表面領域１２２５は、頭蓋顔面の成長によるインプラント固定具１２６０に隣接する顎骨の劣化を補償するために骨成長のための平坦な領域を提供する。いくつかの実施形態では、顔側表面領域１２２０及び／又は狭い舌側表面領域１２２５は、頭蓋顔面の成長によるインプラント固定具１２６０に隣接する顎骨の劣化を補償するために、骨成長のための凹形の領域を提供する。顔側表面領域１２２０及び／又は狭い舌側表面領域１２２５に隣接する骨体積及び／又は軟組織体積の増加は、インプラント固定具１２６０の早期の露出を防止する。
【００８３】
いくつかの実施形態では、顔側表面領域１２２０及び／又は舌側表面領域１２２５は、既存の骨と顔側表面領域１２２０及び／又は舌側表面領域１２２５との間の隙間による骨形成を改善するための凹形の領域を提供する。いくつかの実施形態では、顔側表面領域１２２０及び／又は舌側表面領域１２２５は、より大きな骨の成長を可能にする凹形の領域を提供する。いくつかの実施形態では、顔側表面領域１２２０及び／又は舌側表面領域１２２５は、処置中及び／又は処置直後に、骨とヘッド部１２６５との間の圧力を防止／最小化するための凹状の領域を提供する。処置中及び／又は直後に骨とヘッド部１２６５との間の圧力を防止及び／又は最小限に抑えることにより、ヘッド部１２６５の周りの骨の吸収を防止し、及び／又はヘッド部１２６５の周りの骨形成を増加させる。いくつかの実施形態で、顔側表面領域１２２０及び／又は舌側表面領域１２２５は、骨及び／又は軟組織の成長を可能にする凹形の領域を提供する。
【００８４】
いくつかの実施形態では、歯科インプラント固定具１２６０は、インプラント固定具１２６０が患者の顎骨内で上下移動及び回転移動するのを防止するように、その中で骨を成長させるための長手方向溝（縦溝）１２３６を備える。いくつかの実施形態では、顔側表面領域１２２０及び／又は舌側表面領域１２２５は、骨成長が増大し得る領域を提供し、インプラント固定具１２６０が患者の顎骨内で上下移動及び回転移動することを防ぐ。
【００８５】
いくつかの実施形態では、軸部１２７５は、その長さの少なくとも一部に沿って延びる外側ネジ山１２７６（図１２ｂに示される）を備える。いくつかの実施形態では、外側ネジ山１２７６は連続している。いくつかの実施形態では、外側ネジ山１２７６は、Ｖ形ネジ山、角ネジ山、片ネジ山、逆片ネジ山、またはこれらの２つ以上のネジ山の組み合わせである。いくつかの実施形態では、軸部１２７５は、末端１２８１からヘッド部１２６５に向かって延びる実質的に長手方向の溝またはバックカット（図示せず）を含む。長手方向溝（図示せず）は、骨成長が形成されるより大きな表面を提供し、インプラント固定具１２６０が顎骨内で垂直移動及び回転移動することを防ぐ。
【００８６】
いくつかの実施形態では、軸部１２７５は、その長さの少なくとも一部に沿って延びる複数の離間した横方向の環状溝１２９９（図１２ａに示す）を含み、それにより骨成長が形成されるより広い表面領域を提供し、インプラント固定具１２６０が顎骨内で垂直移動及び回転移動することを防止することができる。
【００８７】
図１２ａ〜図１２ｂを参照し、いくつかの実施形態では、ヒーリングキャップ１２６３は、ボルト部材１２６２の軸セグメント１２３２を収容するための円形の開口部を有する末端１２０６を含む。図１２ａ〜図１２ｂを参照し、いくつかの実施形態では、ヒーリングキャップ１２６３は、そこから延びる突出係合端１２０７を有する近位部分１２０８を含む。
【００８８】
いくつかの実施形態によれば、近位部分１２０８は、べベル（傾斜した）表面１２０９を含む。いくつかの実施形態によれば、ベベル表面１２０９は、基端１２７０のべベル周縁表面１２６１と完全に一致する。
【００８９】
いくつかの実施形態によれば、近位部分１２０８は、平坦な表面１２０９を含む。いくつかの実施形態によれば、平坦な表面１２０９は、基端１２７０の平坦な表面１２６１と完全に一致する。いくつかの実施形態によれば、近位部分１２０８は、楕円形状である。いくつかの実施形態によれば、近位部分１２０８は、三角形状である。いくつかの実施形態によれば、近位部分１２０８は円形状である。
【００９０】
いくつかの実施形態によれば、近位部分１２０８は表面１２０９を含む。いくつかの実施形態によれば、表面１２０９は、基端１２７０の表面１２６１と完全に一致する。
【００９１】
いくつかの実施形態では、近位部分１２０８は、長軸線及び短軸線を含む。いくつかの実施形態では、近位部分１２０８は、少なくとも１つのより狭い顔側表面領域１３２０及び少なくとも１つのより広い隣接側表面領域１３１５を含む。いくつかの実施形態では、顔側表面領域１３２０は、顔側表面領域１２２０と実質的に同一である。ある実施形態では、隣接側表面領域１３１５は、隣接側表面領域１２１５と実質的に同様である。いくつかの実施形態では、顔側表面領域１３２０は、ヒーリングキャップ１２６３の中心に向かって凹状である。
【００９２】
いくつかの実施形態では、近位部分１２０８は、より狭い舌側表面領域１３２５及び少なくとも１つのより幅広い隣接側表面領域１３３０を備える。いくつかの実施形態において、舌側表面領域１３２５は、舌側表面領域１２２５と実質的に同様である。ある実施形態では、隣接側表面領域１３３０は、隣接側表面領域１２３０と実質的に同様である。いくつかの実施形態では、舌側表面領域１３２５は、ヒーリングキャップ１２６３の中心に向かって凹んでいる。
【００９３】
いくつかの実施形態では、ヒーリングキャップ１２６３は、図１２ａ〜図１２ｂに示すように、ヘッド部１２６５と結合するように構成される。いくつかの実施形態では、ヒーリングキャップ１２６３は、顔側表面領域１３２０を顔側表面領域１２２０と整列させるように、ヘッド部１２６５と結合するように構成される。いくつかの実施形態では、ヒーリングキャップ１２６３は、隣接側表面領域１３１５を隣接側表面領域１２１５と整列させるようにヘッド部分１２６５と結合するように構成される。いくつかの実施形態では、ヒーリングキャップ１２６３は、舌側表面領域１３２５を、下側表面領域１２２５に整列させるように、ヘッド部１２６５と結合するように構成される。いくつかの実施形態では、ヒーリングキャップ１２６３は、隣接側表面領域１３３０を隣接側表面領域１２３０と整列させるように、ヘッド部分１２６５と結合するように構成される。
【００９４】
いくつかの実施形態では、顔側表面領域１３２０及び／又は舌側表面領域１３２５は、頭蓋顔面の成長によるヒーリングキャップ１２６３に隣接する顎骨の劣化を補償するために骨成長のための領域を提供する。いくつかの実施形態では、顔側表面領域１３２０及び／又はより狭い舌側表面領域１３２５は、頭蓋顔面の成長によるヒーリングキャップ１２６３に隣接する顎骨の劣化を補償するために、骨成長のためのアーチ形領域を提供する。いくつかの実施形態では、顔側表面領域１３２０及び／又は狭い舌側表面領域１３２５は、頭蓋顔面の成長によるヒーリングキャップ１２６３に隣接する顎骨の劣化を補償するために骨成長のための平坦な領域を提供する。いくつかの実施形態では、顔側表面領域１３２０及び／又はより狭い舌側表面領域１３２５は、頭蓋顔面の成長によるヒーリングキャップ１２６３に隣接する顎骨の劣化を補償するために、骨成長のための凹形の領域を提供する。顔側表面領域１３２０及び／又はより狭い舌側表面領域１３２５に隣接する骨体積及び／又は軟組織体積の増加は、ヒーリングキャップ１２６３の早期の露出を防止する。
【００９５】
いくつかの実施形態では、顔側表面領域１３２０及び／又は舌側表面領域１３２５は、既存の骨と顔側表面領域１３２０及び／又は舌側表面領域１３２５との間の隙間による骨形成を改善するための凹形状の領域を提供する。いくつかの実施形態では、顔側表面領域１３２０及び／又は舌側表面領域１３２５は、より大きな骨の成長を可能にするための凹形の領域を提供する。いくつかの実施形態において、顔側表面領域１３２０及び／又は舌側表面領域１３２５は、処置中及び／又は処置直後に、骨とヒーリングキャップ１２６３との間の圧力を防止／最小化するための凹形状の領域を提供する。処置中及び／又は処置直後に骨とヒーリングキャップ１２６３との間の圧力を防止及び／又は最小限に抑えることにより、ヒーリングキャップ１２６３の周りの骨の吸収が防止され、及び／又はヒーリングキャップ１２６３の周りの骨形成を増大させることができる。顔側表面領域１３２０及び／又は舌側表面領域１３２５は、その中で骨及び／又は軟組織の成長を可能にするための凹形の領域を提供する。
【００９６】
図１３ａ〜図１３ｂを参照し、本開示による歯科インプラントシステム１５００が示される。いくつかの実施形態では、歯科インプラントシステム１５００は、ボルト部材１５６２と、ヒーリングキャップ１５６３と、歯科インプラント固定具１５６０とを備える。いくつかの実施形態によれば、歯科インプラントシステム１５００は、アバットメント部材（図示せず）をさらに含む。
【００９７】
いくつかの実施形態では、ボルト部材１５６２は、ヘッドセグメント１５３１と軸セグメント１５３２とを含む。いくつかの実施形態では、ヘッドセグメント１５３１は概して円板形状であり、トップノッチ１５３３、又は、締付工具、例えば、ネジ回しあるいはボルト部材１５６２を回転させるための任意の他の工具を収容するための他の任意の適切な手段を備える。いくつかの実施形態では、軸セグメント１５３２は、ヘッドセグメント１５３１に結合された一端を有する。いくつかの実施形態では、軸セグメント１５３２は、外側ネジ山１５３４を備え、外側ネジ山１５３４は、ヘッドセグメント１５３１から反対側に位置し、その長さの少なくとも一部に沿って伸長する。
【００９８】
図１３ａ〜図１３ｂを参照し、本開示による歯科インプラント固定具１５６０が示される。ここに開示されているいくつかの実施形態では、歯科インプラント固定具１５６０は、基端１５７０を備えたヘッド部１５６５を含む。いくつかの実施形態では、固定具１５６０は、末端１５８１を有する細長い軸部１５７５を含む。いくつかの実施形態では、ヘッド部１５６５は、軸部１５７５と一体的に結合されて、ワンピースのインプラント固定具１５６０を形成する。これは、インプラント固定具１５６０のヘッド部と軸部との間の細菌又は他の感染の成長を防止する。いくつかの実施形態では、細長い軸部１５７５はテーパー状である。いくつかの実施形態によれば、ヘッド部１５６５は楕円形である。いくつかの実施形態によれば、ヘッド部１５６５は三角形である。いくつかの実施形態によれば、ヘッド部１５６５は円形である。
【００９９】
いくつかの実施形態では、インプラント固定具１５６０は、基端１５７０から軸部１５７５内に部分的に下方に延びる階段状の内部閉孔（図示せず）を備える。いくつかの実施形態では、階段状の内部閉孔（図示せず）は、中心からずれている。いくつかの実施形態では、内部閉孔（図示せず）は、その長さの少なくとも一部に沿った内側ネジ山（図示せず）と、内側ネジ山（図示せず）の上に位置する環状棚（図示せず）を含む。いくつかの実施形態では、内側ネジ山（図示せず）は、ボルト部材１５６２の外側ネジ山１５３４を収容するように構成される。
【０１００】
図１３ａ〜図１３ｂを参照して、いくつかの実施形態において、基端１５７０は、長軸線及び短軸線を含む表面１５６１を有する。いくつかの実施形態によれば、表面１５６１は平坦である。いくつかの実施形態によれば、表面１５６１は斜角がつけられている。いくつかの実施形態では、ヘッド部１５６５は、少なくとも１つのより狭い顔側表面領域１５２０及び少なくとも１つのより広い隣接側表面領域１５１５を含む。顔側表面領域１５２０は、患者の唇の内面に隣接して位置する、患者の口腔の顔側の歯肉組織のカントゥアを収容し、隣接側表面領域１５１５は、患者の他の歯及び／又はインプラントに隣接して位置する、患者の口腔の隣接側の歯肉組織のカントゥアを収容する。いくつかの実施形態では、顔側表面領域１５２０は、表面１５６１の中心に向かって凹んでいる。
【０１０１】
いくつかの実施形態では、ヘッド部１５６５は、より狭い舌側表面領域１５２５及び少なくとも１つのより広い隣接側表面領域１５３０を備える。舌側表面領域１５２５は、患者の口腔の舌側の歯肉組織のカントゥアを収容し、それは患者の舌又は口蓋に隣接して位置し、隣接側表面領域１５３０は、患者の口腔の隣接側の歯肉組織のカントゥアを収容し、それは患者の他の歯及び／又はインプラントに隣接して位置する。いくつかの実施形態では、舌側表面領域１５２５は、表面１５６１の中心に向かって凹んでいる。
【０１０２】
いくつかの実施形態では、顔側表面領域１５２０及び／又は舌側表面領域１５２５は、頭蓋顔面の成長によるインプラント固定具１５６０に隣接する顎骨の劣化を補償するために骨成長のための領域を提供する。いくつかの実施形態では、顔側表面領域１５２０及び／又はより狭い舌側表面領域１５２５は、頭蓋顔面の成長によるインプラント固定具１５６０に隣接する顎骨の劣化を補償するために、骨成長のためのアーチ形領域を提供する。いくつかの実施形態では、顔側表面領域１５２０及び／又はより狭い舌側表面領域１５２５は、頭蓋顔面の成長によるインプラント固定具１５６０に隣接する顎骨の劣化を補償するための骨成長のための平坦な領域を提供する。いくつかの実施形態では、顔側表面領域１５２０及び／又はより狭い舌側表面領域１５２５は、頭蓋顔面の成長によるインプラント固定具１５６０に隣接する顎骨の劣化を補償するために、骨成長のための凹形の領域を提供する。顔側表面領域１５２０及び／又はより狭い舌側表面領域１５２５に隣接する骨体積及び／又は軟組織体積の増加は、インプラント固定具１５６０の早期の露出を防止する。
【０１０３】
いくつかの実施形態では、顔側表面領域１５２０及び／又は舌側表面領域１５２５は、既存の骨と顔側表面領域１５２０及び／又は舌側表面領域１５２５との間の隙間による骨形成を改善するための凹形状の領域を提供する。いくつかの実施形態では、顔側表面領域１５２０及び／又は舌側表面領域１５２５は、より大きな骨の成長を可能にするための凹形状の領域を提供する。いくつかの実施形態では、顔側表面領域１５２０及び／又は舌側表面領域１５２５は、処置中及び／又は処置直後に骨とヘッド部１５６５との間の圧力を防止／最小化するための凹形状領域を提供する。処置中及び／又は処置直後に骨とヘッド部１５６５との間の圧力を防止及び／又は最小化することにより、ヘッド部１５６５の周りの骨の吸収が防止され、及び／又はヘッド部１５６５の周囲の骨形成を増大させることができる。ある実施形態で、顔側表面領域１５２０及び／又は舌側表面領域１５２５は、骨および/または軟組織の成長を可能にするための凹形状の領域を提供する。
【０１０４】
いくつかの実施形態では、歯科インプラント固定具１５６０は、インプラント固定具１５６０が患者の顎骨内で垂直及び回転運動するのを防止するために、その中に骨が成長するように縦溝１５３６を備える。いくつかの実施形態では、顔側表面領域１５２０及び／又は舌側表面領域１５２５は、骨成長が進行してインプラント固定具１５６０が患者の顎骨内で垂直及び回転運動するのを防ぐことができる領域を提供する。
【０１０５】
いくつかの実施形態では、軸部１５７５は、その長さの少なくとも一部に沿って延びる外側ネジ山１５７６（図１３ａ及び図１３ｂに示される）を備える。いくつかの実施形態では、外側ネジ山１５７６は連なっている。いくつかの実施形態では、外側ネジ山１５７６は、Ｖ形ネジ山、角ネジ山、片ネジ山、逆片ネジ山、またはこれらの２つ以上のネジ山の組み合わせである。いくつかの実施形態では、軸部１５７５は、末端１５８１からヘッド部１５６５に向かって延びる実質的に長手方向の溝またはバックカット（図示せず）を含む。長手方向溝（図示せず）は、骨成長が形成されるより広い表面領域を提供し、インプラント固定具１５６０が顎骨内で垂直運動及び回転運動することを防ぐ。
【０１０６】
図１３ａ〜図１３ｂを参照して、いくつかの実施形態では、ヒーリングキャップ１５６３は、ボルト部材１５６２の軸セグメント１５３２を収容するための円形の開口部を有する末端１５０６を備える。図１３ａ〜図１３ｂを参照すると、ある実施形態では、ヒーリングキャップ１５６３は、そこから延びる突出係合端（図示せず）を備えた近位部分１５０８を含む。
【０１０７】
ある実施形態によれば、近位部分１５０８は、表面１５０９を備える。いくつかの実施形態によれば、ベベル表面１５０９は、基端１５７０の表面１５６１に完全に一致する。いくつかの実施形態によれば、近位部分１５０８は楕円形である。いくつかの実施形態によれば、近位部分１５０８は三角形である。いくつかの実施形態によれば、近位部分１５０８は円形である。
【０１０８】
いくつかの実施形態では、近位部分１５０８は、長軸線及び短軸線を含む。いくつかの実施形態では、近位部分１５０８は、少なくとも１つのより狭い顔側表面領域１６２０及び少なくとも１つのより広い隣接側表面領域１６１５を含む。いくつかの実施形態では、顔側表面領域１６２０は、顔側表面領域１５２０と実質的に同様である。いくつかの実施形態では、隣接側表面領域１６１５は、隣接側表面領域１５１５と実質的に同様である。いくつかの実施形態では、顔側表面領域１６２０は、ヒーリングキャップ１５６３の中心に向かって凹んでいる。
【０１０９】
いくつかの実施形態では、近位部分１５０８は、より狭い舌側表面領域１６２５及び少なくとも１つのより広い隣接側表面領域１６３０を備える。いくつかの実施形態において、舌側表面領域１６２５は、舌側表面領域１５２５と実質的に同様である。ある実施形態では、隣接側表面領域１６３０は、隣接側表面領域１５３０と実質的に同様である。いくつかの実施形態では、舌側表面領域１６２５は、ヒーリングキャップ１５６３の中心に向かって凹状である。
【０１１０】
いくつかの実施形態では、ヒーリングキャップ１５６３は、図１２ａに示すように、ヘッド部１５６５と結合するように構成される。いくつかの実施形態では、ヒーリングキャップ１５６３は、顔側表面領域１６２０を顔側表面領域１５２０に整列させるように、ヘッド部１５６５と結合するように構成される。いくつかの実施形態では、ヒーリングキャップ１５６３は、隣接側表面領域１６１５を隣接側表面領域１５１５と整列させるようにヘッド部１５６５と結合するように構成される。いくつかの実施形態では、ヒーリングキャップ１５６３は、ヘッド部１５６５と連結するように構成され、それによって舌側表面領域１６２５を舌側表面領域１５２５に整列させる。いくつかの実施形態では、ヒーリングキャップ１５６３は、隣接側表面領域１６３０を隣接側表面領域１５３０と整列させるようにヘッド部分１５６５と結合するように構成される。
【０１１１】
いくつかの実施形態では、顔側表面領域１６２０及び／又は舌側表面領域１６２５は、頭蓋顔面の成長によるヒーリングキャップ１５６３に隣接する顎骨の劣化を補償するために骨成長のための領域を提供する。いくつかの実施形態では、顔側表面領域１６２０及び／又はより狭い舌側表面領域１６２５は、頭蓋顔面の成長によるヒーリングキャップ１５６３に隣接する顎骨の劣化を補償するために、骨成長のためのアーチ形状の領域を提供する。いくつかの実施形態では、顔側表面領域１６２０及び／又はより狭い舌側表面領域１６２５は、頭蓋顔面の成長によるヒーリングキャップ１５６３に隣接する顎骨の劣化を補償するための骨成長のための平坦な領域を提供する。いくつかの実施形態では、顔側表面領域１６２０及び／又はより狭い舌側表面領域１６２５は、頭蓋顔面の成長によるヒーリングキャップ１５６３に隣接する顎骨の劣化を補償するために、骨成長のための凹形状の領域を提供する。顔側表面領域１６２０及び／又はより狭い舌側表面領域１６２５に隣接する骨体積及び／又は軟組織体積の増加は、ヒーリングキャップ１５６３の早期の露出を防止する。
【０１１２】
いくつかの実施形態では、顔側表面領域１６２０及び／又は舌側表面領域１６２５は、既存の骨と顔側表面領域１６２０及び／又は舌側表面領域１６２５との間の隙間による骨形成を改善するための凹形の領域を提供する。いくつかの実施形態では、顔側表面領域１６２０及び／又は舌側表面領域１６２５は、より大きな骨の成長を可能にする凹形の領域を提供する。いくつかの実施形態では、顔側表面領域１６２０及び／又は舌側表面領域１６２５は、処置中及び／又は処置直後に、骨とヒーリングキャップ１５６３との間の圧力を防止／最小化するための凹形の領域を提供する。処置中及び／又は処置直後に骨とヒーリングキャップ１５６３との間の圧力を防止及び／又は最小化することにより、ヒーリングキャップ１５６３の周りの骨の吸収が防止され、及び／又はヒーリングキャップ１５６３の周りの骨形成を増加させることができる。顔側表面領域１６２０及び／又は舌側表面領域１６２５は、骨及び／又は軟組織の成長を可能にする凹形の領域を提供する。
【０１１３】
本発明のいくつかの例示的な実施形態が開示され説明されたが、当業者は数多くの変形又は代替の実施例に想到するであろう。これらの変形及び代替の実施形態は企図されており、特許請求の範囲に記載された発明の範囲を逸脱することなく実施可能である。
【０１１４】
本明細書及び特許請求の範囲に記載した単数形「一つ（a）」、「一つ（an）」と「その（the）」は、特に明確に記載しない限り複数形を含む。用語「複数」は、特に明確に記載しない限り、二つ以上を含む。他に定義されない限り、本明細書で使用されるすべての技術的用語及び科学的用語は、本開示が属する技術分野の当業者が通常理解するのと同じ意味を有する。
【０１１５】
法の要求に従って例示的に好適な実施形態を示した前述の詳細な説明は、例示及び開示を目的とする。それは網羅的ではなく、本発明を記載されたものに限定することを意図するものでもなく、ただ当業者が、本発明がどのように特定の利用又は実施に適するかを理解できるようにするものである。修正及び変形の可能性は、当業者にとって明らかである。許容範囲、特徴のサイズ、具体的な操作条件、工業規格等を含み得る例示的な実施形態の説明は限定を意図するものではなく、実施間で様々であり得、又は最先端への変更を伴い、限定を意味するものではない。出願人は、目下の技術水準に関して本開示を行うとともに、その進歩を予期し、後の修正はこれらの進歩に考慮され、すなわち現在の技術水準に従う。本発明の範囲は記載された特許請求の範囲及び適用可能な均等物によって画成される。明確に記載されない限り、特許請求の範囲で単数の表現は「一つ」及び「一つだけ」を意味しない。また、特許請求の範囲に要素、部品、又は工程が明示されるかどうかに関わらず、本開示に係るいかなる要素、部品、方法又は処理工程も、公衆に献呈されるものではない。要素が「〜のための手段（means for）」の表現を用いて明示されない限り、本明細書のいかなる要素も米国特許法第１１２条第６項の規定により解釈されず、ステップ又は複数のステップが「〜のためのステップ（複数可）」の表現を用いて明示されない限り、いかなる方法、又はいかなる処理ステップもこれらの規定により解釈されない。
【図１】
2018511454.tif 000003
【図２ａ】
2018511454.tif 000004
【図２ｂ】
2018511454.tif 000005
【図３ａ】
2018511454.tif 000006
【図３ｂ】
2018511454.tif 000007
【図３ｃ】
2018511454.tif 000008
【図４】
2018511454.tif 000009
【図５ａ】
2018511454.tif 000010
【図５ｂ】
2018511454.tif 000011
【図６】
2018511454.tif 000012
【図７ａ】
2018511454.tif 000013
【図７ｂ】
2018511454.tif 000014
【図７ｃ】
2018511454.tif 000015
【図８】
2018511454.tif 000016
【図９】
2018511454.tif 000017
【図１０】
2018511454.tif 000018
【図１１】
2018511454.tif 000019
【図１２ａ】
2018511454.tif 000020
【図１２ｂ】
2018511454.tif 000021
【図１２ｃ】
2018511454.tif 000022
【図１２ｄ】
2018511454.tif 000023
【図１３ａ】
2018511454.tif 000024
【図１３ｂ】
2018511454.tif 000025
【国際調査報告】
2018511454.tif 000026
2018511454.tif 000027